(57)【要約】【課題】  伝票への印刷サービスや支払決済処理等を、簡易な構成且つ低コストで実現可能な印刷システム等を提供することを目的とする。【解決手段】  印刷装置２０と、情報をコード化したシンボル画像を少なくとも読み取るスキャナ６０と、印刷装置およびスキャナと接続されて用いられると共に、表示手段４２０、入力手段４１０、並びにスキャナからの読み取りデータを処理するデコード手段４３０を有する表示・入力装置と、を備えた印刷システム１０であって、表示・入力装置は、電子式卓上計算機として機能する電卓モードと、入力手段による入力情報に基づいて、支払決済処理および／または金銭登録処理を行うキャッシュレジスタモードと、スキャナにより読み取ったシンボル画像のデコード結果を、所定の伝票書式に基づいてレイアウトした伝票印刷データを生成し、これを印刷装置に転送することにより、伝票作成を指示する伝票作成モードと、を有するものである。【選択図】  図２
2006178815.tif 000002
【特許請求の範囲】
【請求項１】
印刷装置と、
情報をコード化したシンボル画像を少なくとも読み取るスキャナと、
前記印刷装置および前記スキャナと接続されて用いられると共に、表示手段、入力手段、並びに前記スキャナからの読み取りデータを処理する読取データ処理手段を有する表示・入力装置と、を備えた印刷システムであって、
前記表示・入力装置は、
電子式卓上計算機として機能する電卓モードと、
前記入力手段による入力情報に基づいて、支払決済処理および／または金銭登録処理を行うキャッシュレジスタモードと、
前記スキャナにより読み取った前記シンボル画像のデコード結果を、所定の伝票書式に基づいてレイアウトした伝票印刷データを生成し、これを前記印刷装置に転送することにより、伝票作成を指示する伝票作成モードと、を有し、
前記入力手段により前記電卓モード、前記キャッシュレジスタモードおよび前記伝票作成モードのうち、いずれか１つが選択可能に構成されていることを特徴とする印刷システム。
【請求項２】
前記表示・入力装置は、前記キャッシュレジスタモードにおいて、前記支払決済処理および／または前記金銭登録処理の処理結果を、所定のレシート書式に基づいてレイアウトしたレシート印刷データを生成し、前記印刷装置に転送することを特徴とする請求項１に記載の印刷システム。
【請求項３】
前記スキャナは、商品および／又は料金を特定するための情報をコード化したシンボル画像を少なくとも読み取り可能であり、
前記表示・入力装置は、前記キャッシュレジスタモードにおいて、前記入力手段による入力情報以外に、前記スキャナにより読み取った前記シンボル画像のデコード結果に基づいて、前記支払決済処理および／または前記金銭登録処理を行うことを特徴とする請求項１または２に記載の印刷システム。
【請求項４】
前記表示・入力装置は、記憶媒体が着脱可能に構成され、
前記キャッシュレジスタモードにおいて、前記金銭登録処理の処理結果を前記記憶媒体に格納することを特徴とする請求項１、２または３に記載の印刷システム。
【請求項５】
前記表示・入力装置は、前記伝票に罫線や記入欄等を印刷するための伝票書式データを記憶する記憶手段をさらに有し、
前記伝票作成モードにおいて、前記シンボル画像のデコード結果と前記伝票書式データとを重畳して、前記伝票印刷データを生成し、前記印刷装置に転送することを特徴とする請求項１ないし４のいずれか１項に記載の印刷システム。
【請求項６】
前記印刷装置は、印刷方式が異なる複数の印刷部と、
前記表示・入力装置から転送された印刷データに応じて、前記印刷部を選択する印刷部選択手段と、を有することを特徴とする請求項１ないし５のいずれか１項に記載の印刷システム。
【請求項７】
前記表示・入力装置は、前記印刷装置および前記スキャナと接続されていない状態では、前記入力手段によるモード選択によらず、前記電卓モードに設定されることを特徴とする請求項１ないし６のいずれか１項に記載の印刷システム。
【請求項８】
請求項１ないし７のいずれか１項に記載の印刷システムに備えられることを特徴とする表示・入力装置。
【請求項９】
印刷装置と、
情報をコード化したシンボル画像を少なくとも読み取るスキャナと、
前記印刷装置および前記スキャナと接続されて用いられる表示・入力装置と、を備えた印刷システムの制御方法であって、
前記表示・入力装置は、電子式卓上計算機として機能する電卓モード、支払決済処理および／または金銭登録処理を行うキャッシュレジスタモード、並びに前記印刷装置に伝票作成を指示する伝票作成モード、の３つのモードを有し、
前記電卓モード、前記キャッシュレジスタモードおよび前記伝票作成モードの中からいずれか１つのモードを選択するステップと、
前記電卓モードが選択された場合、入力された情報に基づいて演算処理を行うステップと、
前記キャッシュレジスタモードが選択された場合、入力された情報に基づいて前記支払決済処理および／または前記金銭登録処理を行うステップと、
前記伝票作成モードが選択された場合、前記スキャナにより読み取った前記シンボル画像をデコードし、そのデコード結果を所定の伝票書式に基づいてレイアウトした伝票印刷データを前記印刷装置に転送するステップと、を実行することを特徴とする印刷システムの制御方法。
【請求項１０】
前記表示・入力装置は、前記キャッシュレジスタモードが選択された場合、前記支払決済処理および／または前記金銭登録処理の処理結果を、所定のレシート書式に基づいてレイアウトしたレシート印刷データを生成し、前記印刷装置に転送するステップをさらに実行することを特徴とする請求項９に記載の印刷システムの制御方法。
【請求項１１】
前記スキャナは、商品および／又は料金を特定するための情報をコード化したシンボル画像を少なくとも読み取り可能であり、
前記表示・入力装置は、前記キャッシュレジスタモードが選択された場合、前記入力手段による入力情報以外に、前記スキャナにより読み取った前記シンボル画像をデコードし、そのデコード結果に基づいて前記支払決済処理および／または前記金銭登録処理を行うことを特徴とする請求項１０に記載の印刷システムの制御方法。
【請求項１２】
前記表示・入力装置は、記憶媒体が着脱可能に構成され、
前記キャッシュレジスタモードが選択された場合、前記金銭登録処理の処理結果を前記記憶媒体に格納するステップをさらに実行することを特徴とする請求項９、１０または１１に記載の印刷システムの制御方法。
【請求項１３】
前記表示・入力装置は、前記伝票に罫線や記入欄等を印刷するための伝票書式データを予め記憶しており、
前記伝票印刷データを前記印刷装置に転送するステップでは、デコードされた情報と前記伝票書式データとを重畳して、前記伝票印刷データを生成し、前記印刷装置に転送することを特徴とする請求項９ないし１２のいずれか１項に記載の印刷システムの制御方法。
【請求項１４】
コンピュータに、請求項９ないし１３のいずれか１項に記載の印刷システムの制御方法における各ステップを実行させるためのプログラム。
【発明の詳細な説明】
【技術分野】
【０００１】
本発明は、伝票作成の他、支払決済処理や金銭登録処理を行い得る印刷システム、表示・入力装置、印刷システムの制御方法およびプログラムに関するものである。
【背景技術】
【０００２】
手書きによる記載を必要とする伝票用紙は多数存在するが、例えば、宅配物の配送を依頼する場合、利用者は、コンビニエンス・ストアや宅配会社の営業所に宅配物を直接持ち込んだり、電話やインターネットで自宅への集荷を依頼したりして（例えば、特許文献１参照）、宅配物に貼付する宅配伝票用紙に、手書きによる記載を行う。
【特許文献１】特開平１０−２４５０９４号公報（第２−３頁、第２図）
【発明の開示】
【発明が解決しようとする課題】
【０００３】
例えば前者の場合、利用者は、宅配物を持ち込んだ先で宅配伝票用紙を受け取り、利用者の住所・氏名・電話番号、並びに配送先の住所・氏名・電話番号、その他、配送指定時間、品名等の必要事項を住所録やメモなど見ながら記入しなければならず、配送先が複数の場合は、その配送先の数だけ宅配伝票用紙への記入が必要となる。このため、宅配伝票用紙の記入に時間がかかるといった問題があった。特に、農産物の現地販売所や地方出荷受付所など、臨時に配送受付が行われるような場合は、宅配伝票用紙の記入場所が整備されていないことも多く、宅配伝票用紙の記入がさらに面倒であった。また、このような場所では、コスト面の問題から、支払決済処理や金銭登録処理を行うためのキャッシュレジスタが導入されていない場合も多く、売り上げ管理が杜撰になってしまうといった問題があった。
【０００４】
本発明は、上記の問題点に鑑み、伝票への印刷サービスや支払決済処理等を、簡易な構成且つ低コストで実現可能な印刷システム、表示・入力装置、印刷システムの制御方法およびプログラムを提供することを目的とする。
【課題を解決するための手段】
【０００５】
本発明の印刷システムは、印刷装置と、情報をコード化したシンボル画像を少なくとも読み取るスキャナと、印刷装置およびスキャナと接続されて用いられると共に、表示手段、入力手段、並びにスキャナからの読み取りデータを処理する読取データ処理手段を有する表示・入力装置と、を備えた印刷システムであって、表示・入力装置は、電子式卓上計算機として機能する電卓モードと、入力手段による入力情報に基づいて、支払決済処理および／または金銭登録処理を行うキャッシュレジスタモードと、スキャナにより読み取ったシンボル画像のデコード結果を、所定の伝票書式に基づいてレイアウトした伝票印刷データを生成し、これを印刷装置に転送することにより、伝票作成を指示する伝票作成モードと、を有し、入力手段により電卓モード、キャッシュレジスタモードおよび伝票作成モードのうち、いずれか１つが選択可能に構成されていることを特徴とする。
【０００６】
また、本発明の印刷システムの制御方法は、印刷装置と、情報をコード化したシンボル画像を少なくとも読み取るスキャナと、印刷装置およびスキャナと接続されて用いられる表示・入力装置と、を備えた印刷システムの制御方法であって、表示・入力装置は、電子式卓上計算機として機能する電卓モード、支払決済処理および／または金銭登録処理を行うキャッシュレジスタモード、並びに印刷装置に伝票作成を指示する伝票作成モード、の３つのモードを有し、電卓モード、キャッシュレジスタモードおよび伝票作成モードの中からいずれか１つのモードを選択するステップと、電卓モードが選択された場合、入力された情報に基づいて演算処理を行うステップと、キャッシュレジスタモードが選択された場合、入力された情報に基づいて支払決済処理および／または金銭登録処理を行うステップと、伝票作成モードが選択された場合、スキャナにより読み取ったシンボル画像をデコードし、そのデコード結果を所定の伝票書式に基づいてレイアウトした伝票印刷データを印刷装置に転送するステップと、を実行することを特徴とする。
【０００７】
これらの構成によれば、少なくとも表示手段、入力手段および読取データ処理手段を有する表示・入力装置に、印刷装置とスキャナとを接続するだけで、伝票への印刷サービスや支払決済処理等を行い得る印刷システムを実現することができる。具体的には、表示・入力装置のモード選択により、電子式卓上計算機として機能する電卓モード、支払決済処理および／または金銭登録処理を行うキャッシュレジスタモード、印刷装置に伝票作成を指示する伝票作成モードを設定可能となっており、例えば、農産物の現地販売所など臨時に配送受付が行われるような場合、キャッシュレジスタモードで支払決済処理および／または金銭登録処理を行い、伝票作成モードで宅配伝票を作成することができる。このように、本システム並びにその制御方法によれば、ネットワーク接続やコンピュータの設置が困難な場所であっても、キャッシュレジスタ処理や伝票印刷サービスを簡易な構成且つ低コストで実現することができる。
【０００８】
上記の印刷システムにおいて、表示・入力装置は、キャッシュレジスタモードにおいて、支払決済処理および／または金銭登録処理の処理結果を、所定のレシート書式に基づいてレイアウトしたレシート印刷データを生成し、印刷装置に転送することが好ましい。
【０００９】
また、上記の印刷システムの制御方法において、表示・入力装置は、キャッシュレジスタモードが選択された場合、支払決済処理および／または金銭登録処理の処理結果を、所定のレシート書式に基づいてレイアウトしたレシート印刷データを生成し、印刷装置に転送するステップをさらに実行することが好ましい。
【００１０】
これらの構成によれば、キャッシュレジスタモードにおいて、支払決済処理および／または金銭登録処理の処理結果をレシート上に印刷することができる。すなわち、支払決済処理の処理結果として領収証書等を発行し、金銭登録処理の処理結果として、その日１日の売り上げや月間売り上げの集計レシート等を発行することができる。
【００１１】
上記の印刷システムにおいて、スキャナは、商品および／又は料金を特定するための情報をコード化したシンボル画像を少なくとも読み取り可能であり、表示・入力装置は、キャッシュレジスタモードにおいて、入力手段による入力情報以外に、スキャナにより読み取ったシンボル画像のデコード結果に基づいて、支払決済処理および／または金銭登録処理を行うことが好ましい。
【００１２】
また、上記の印刷システムの制御方法において、スキャナは、商品および／又は料金を特定するための情報をコード化したシンボル画像を少なくとも読み取り可能であり、表示・入力装置は、キャッシュレジスタモードが選択された場合、入力手段による入力情報以外に、スキャナにより読み取ったシンボル画像をデコードし、そのデコード結果に基づいて支払決済処理および／または金銭登録処理を行うことが好ましい。
【００１３】
これらの構成によれば、キャッシュレジスタモードにおいて、商品および／又は料金を特定するための情報をコード化したシンボル画像のデコード結果に基づいて支払決済処理および／または金銭登録処理を行うことができる。なお、シンボル画像が商品を特定するための情報に基づくものである場合は、表示・入力装置内に商品マスタ（商品コードとその料金とを関連づけたテーブル）を格納しておき、当該商品マスタを参照して支払決済処理および／または金銭登録処理を行うことが好ましい。
【００１４】
上記の印刷システムにおいて、表示・入力装置は、記憶媒体が着脱可能に構成され、キャッシュレジスタモードにおいて、金銭登録処理の処理結果を記憶媒体に格納することが好ましい。
【００１５】
また、上記の印刷システムの制御方法において、表示・入力装置は、記憶媒体が着脱可能に構成され、キャッシュレジスタモードが選択された場合、金銭登録処理の処理結果を記憶媒体に格納するステップをさらに実行することが好ましい。
【００１６】
これらの構成によれば、キャッシュレジスタモードにおいて、金銭登録処理の処理結果を、着脱可能な記憶媒体に格納するため、当該記憶媒体からコンピュータ等で情報を読み出すことで、売り上げ管理システムに導入することができる。すなわち、ネットワーク接続が困難な状況で本システムが利用される場合であっても、金銭登録処理の処理結果を記憶媒体に格納して、売り上げ管理や経理処理に利用できる。
【００１７】
上記の印刷システムにおいて、表示・入力装置は、伝票に罫線や記入欄等を印刷するための伝票書式データを記憶する記憶手段をさらに有し、伝票作成モードにおいて、シンボル画像のデコード結果と伝票書式データとを重畳して、伝票印刷データを生成し、印刷装置に転送することが好ましい。
【００１８】
また、上記の印刷システムの制御方法において、表示・入力装置は、伝票に罫線や記入欄等を印刷するための伝票書式データを予め記憶しており、伝票印刷データを印刷装置に転送するステップでは、デコードされた情報と伝票書式データとを重畳して、伝票印刷データを生成し、印刷装置に転送することが好ましい。
【００１９】
これらの構成によれば、伝票作成モードにおいて、デコード結果と伝票書式データとを重畳して、伝票印刷データを生成するため、印刷媒体に予め罫線や記入欄等が記載されている（プリプリントされている）必要がない。すなわち、白紙の印刷媒体を用いて伝票を作成可能であるため、種々の書式に対応可能であり、印刷媒体の汎用性を向上させることができる。
【００２０】
上記の印刷システムにおいて、印刷装置は、印刷方式が異なる複数の印刷部と、表示・入力装置から転送された印刷データに応じて、印刷部を選択する印刷部選択手段と、を有することが好ましい。
【００２１】
この構成によれば、表示・入力装置から転送された印刷データに応じて、伝票用紙やレシートに適切な印刷方式で印刷することができる。なお、この場合、印刷データに印刷部を特定するための情報が含まれている構成であっても良いし、印刷データに含まれる所定の文字列や制御データに基づいて、印刷装置が印刷部を選択する構成であっても良い。
【００２２】
上記の印刷システムにおいて、表示・入力装置は、印刷装置およびスキャナと接続されていない状態では、入力手段によるモード選択によらず、電卓モードに設定されることが好ましい。
【００２３】
この構成によれば、表示・入力装置は、単体で、設定操作を何ら必要とすることなく、卓上式電子計算機として機能することができる。
【００２４】
本発明の表示・入力装置は、上記のいずれか１項に記載の印刷システムに備えられることを特徴とする。
【００２５】
この構成によれば、伝票への印刷サービスや支払決済処理等を、簡易な構成且つ低コストで実現可能な印刷システムを構築することができる。
【００２６】
本発明のプログラムは、コンピュータに、上記のいずれか１項に記載の印刷システムの制御方法における各ステップを実行させるためのものであることを特徴とする。
【００２７】
この構成によれば、伝票への印刷サービスや支払決済処理等を、簡易な構成且つ低コストで実現可能な印刷システムを制御するためのプログラムを提供することができる。
【発明を実施するための最良の形態】
【００２８】
以下、本発明の一実施形態に係る印刷システム、表示・入力装置、印刷システムの制御方法およびプログラムについて、添付図面を参照しながら詳細に説明する。本発明は、伝票への印刷サービスや支払決済処理等を行い得る印刷システムを容易且つ安価に実現可能としたものである。そこで、以下、宅配伝票への印刷サービスの他、支払決済処理およびその処理結果を印刷したレシートの発行を行う印刷システムを構築した場合を例に挙げて説明する。
【００２９】
図１は、本発明の一実施形態に係る印刷システム１０のシステム構成図である。同図に示すように、本実施形態の印刷システム１０は、宅配伝票Ｐ（Ｐａ、Ｐｂ）やレシートＲに印刷を行う印刷装置２０と、当該印刷装置２０への印刷指示などユーザインターフェースを司る表示・入力装置４０と、商品９０に関する情報をコード化したバーコードＢ１や、宅配伝票Ｐへの記入事項であるアドレス情報（配送先情報および配送元情報）をコード化した２次元コードＢ２などのシンボル画像Ｂを読み取るスキャナ６０（ＣＣＤなどのイメージリーダ）と、を有している。すなわち、既存の印刷装置２０に当該表示・入力装置４０を接続し、当該表示・入力装置４０にスキャナ６０を接続することで、本システム１０を実現可能となっており、表示・入力装置４０により印刷装置２０およびスキャナ６０の制御が行われる。
【００３０】
印刷装置２０は、複写用紙Ｐａとサーマル紙Ｐｂとの２種類の宅配伝票用紙Ｐ、並びにレシートＲに印刷を行うための３つの印刷部２１１，２１２，２１３（図２参照）を備えたハイブリッドプリンタであり、装置ケース２１上に、複写用紙Ｐａを手差し挿入する挿入口２２と、ワイヤドット方式で印刷し、印刷済みの複写用紙Ｐａを排出する第１排出口２３と、印刷装置２０の内部に収納されたロール紙（サーマル紙Ｐｂ）にサーマル方式で印刷し、印刷済みのサーマル紙Ｐｂを排出する第２排出口２４と、サーマル紙Ｐｂとは別個に印刷装置２０の内部に収納されたロール紙（レシートＲ）にサーマル方式で印刷し、印刷済みのレシートＲを排出する第３排出口２５と、表示・入力装置４０とケーブル４５およびコネクタ（図示省略）を介して接続するための印刷装置用インターフェース２７と、を備えている。
【００３１】
複写用紙Ｐａは、図７に示すように、依頼主控用Ｐａ１、受付店舗（配達局）控用Ｐａ２、宅配物貼付用Ｐａ３など、複数枚の用紙が積層した複写式宅配伝票であり、当該複写用紙Ｐａが挿入口２２に一部ずつ手差し挿入されることにより（図１に示す矢印方向）、積層された各用紙がワイヤドット方式により複写印刷され、第１排出口２３から排出される。
【００３２】
また、サーマル紙Ｐｂは、図８に示すように、長尺状の台紙Ｐｂ１上に所定サイズのサーマルラベルＬが等間隔で配置されたものであり、巻回された状態で装置内部に収容されている。サーマル紙Ｐｂは、サーマル方式で印刷され、第２排出口２４付近に配置された切断機構（切断手段２１２ｄ，図２参照）によりその台紙Ｐｂ１部分が幅方向に切断される。そして、台紙Ｐｂ１から宅配物貼付用のサーマルラベルＬ３が剥がされ、宅配物に貼付されることにより宅配伝票Ｐとして利用される。なお、サーマル紙Ｐｂは、宅配物貼付用Ｌ３以外に、依頼主控用Ｌ１および受付店舗（配達局）控用Ｌ２のラベルも同時に印刷される。
【００３３】
一方、レシートＲは、長尺状の用紙であり、サーマル紙Ｐｂと同様に巻回された状態で装置内部に収容され、サーマル方式で印刷される。また、印刷済みのレシートＲは、第３排出口２５付近に配置された切断機構（切断手段２１３ｄ，図２参照）により幅方向に切断される。
【００３４】
表示・入力装置４０は、装置ケース４１上に、入力情報を表示するディスプレイ４２と、情報入力のための複数のキー（数字キーや記号キーなど）から成るキー群４３と、入力された情報や処理結果を記憶させるための記憶媒体Ｍを挿入するメディアスロット４４と、印刷装置２０とケーブル４５およびコネクタ（図示省略）を介して接続するための表示・入力装置用第１インターフェース４７と、スキャナ６０とケーブル６５およびコネクタ（図示省略）を介して接続するための表示・入力装置用第２インターフェース４８とを備えている。
【００３５】
記憶媒体Ｍは、主に金銭登録処理の処理結果を格納するために用いられるものであり、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等、携行可能な小型のメディアを利用することが好ましい。また、金銭登録処理の処理結果以外にも、スキャナ６０の読み取り結果を格納するなど、表示・入力装置４０が取得・生成する各種情報の保存のために利用可能である。
【００３６】
なお、表示・入力装置用第１インターフェース４７および表示・入力装置用第２インターフェース４８は、ＲＳ−２３２規格などのシリアルデータ転送、セントロニクス規格などのパラレルデータ転送、イーサネット（登録商標）の１０Ｂａｓｅ−Ｔなどのネットワーク接続、若しくはＵＳＢなどのデータ転送規格に対応したものを採用することができる。またケーブルが邪魔にならず作業性がよいＩｒＤＡ（赤外線通信）やブルーツゥ−ス（無線通信）などのワイヤレス通信方式を用いても良い。
【００３７】
また、表示・入力装置４０の内部ＴＴＬ（Transistor Transistor Logic）と、印刷装置２０およびスキャナ６０の内部との駆動電圧レベルが異なる場合には、表示・入力装置用第１インターフェース４７および表示・入力装置用第２インターフェース４８にレベル変換を行うドライバ回路を備えることが好ましい。この構成によれば、信号レベルを容易に変換することができる。
【００３８】
ところで、表示・入力装置４０は、図３に示すように、「電卓モード」、「キャッシュレジスタモード」および「伝票作成モード」の３つの処理モードを有しており、数字キー「１」、「２」または「３」の長押しによりいずれかの処理モードを選択的に設定可能となっている。各処理モードについて簡単に説明すると、「電卓モード」では、電子式卓上計算機として機能し、演算処理を行う。また、「キャッシュレジスタモード」では、支払決済処理、金銭登録処理並びに印刷装置２０へのレシート発行指示を行い、「伝票作成モード」では、印刷装置２０への宅配伝票作成指示を行う。なお、表示・入力装置４０は、印刷装置２０およびスキャナ６０と接続されていない状態、すなわち表示・入力装置用第１インターフェース４７および表示・入力装置用第２インターフェース４８が接続対象を検出できない状態においては、「電卓モード」に設定される。したがって、単体では、電子式卓上計算機として利用可能となっている。
【００３９】
スキャナ６０は、把持部位を有する装置本体６１と、装置本体６１から突出形成された突き当て部材６２と、撮像対象物の撮像を指示する撮像ボタン６３と、印刷装置２０とケーブル６５およびコネクタ６４を介して接続するためのスキャナ用インターフェース６７と、を備えている。そして、突き当て部材６２の先端を、撮像対象物が表示または載置された対象物支持体に当接または近接させることによって撮像（画像の読み取り）を行う。本実施形態では、撮像対象物として、バーコードＢ１や２次元コード（例えばＱＲコード）Ｂ２等のシンボル画像Ｂを読み取る。具体的には、「キャッシュレジスタモード」において、商品名や商品コードなど商品９０を特定するための情報および／またはその商品９０の料金（金額）を特定するための情報をコード化したバーコードＢ１を読み取る。また、「伝票作成モード」においては、宅配物の配送先に関する配送先情報並びに宅配物の配送元に関する配送元情報をコード化した２次元コードＢ２を携帯電話８０の表示画面８１上に表示させたものを読み取る。
【００４０】
携帯電話８０は、宅配物の配送依頼者（宅配伝票Ｐの作成依頼者）が保有するものであり、携帯電話８０に搭載されたアドレス帳機能を利用して、配送先および配送元となる情報（住所、郵便番号、電話番号、氏名等のデータ）を指定する。アドレス帳機能としては、知人の住所や電話番号等の一覧を表示する「住所録メニュー」表示機能、並びに配送依頼者自身の情報を表示する「プロフィール」表示機能を有しており、例えば携帯電話保有者（本人）が配送依頼を行う場合、「住所録メニュー」の中から配送先を、「プロフィール」の中から配送元を指定してそれぞれの情報をコード化（エンコード）することで、各情報の２次元コードＢ２を生成する。そして、生成した２次元コードＢ２を表示画面８１上に表示させて印刷システム１０を操作するオペレータに提示すると、オペレータはこれをスキャナ６０で撮像する。
【００４１】
なお、このように携帯電話８０を用いる場合は、例えば携帯電話８０のオンラインサービスを利用して所定の携帯サイトから２次元コードＢ２生成のためのアプリケーションをダウンロードしておくことで容易に２次元コードＢ２（印刷システム１０で配送先情報または配送元情報として認識可能な識別子に関する情報を含むシンボル画像）の生成／表示機能を搭載することが可能である。この場合、ダウンロードしたアプリケーションによって提供される入力書式にしたがって、各項目をキー入力していくことで、アドレス情報をコード化した２次元コードＢ２を生成／表示することができるようになっている。但し、元々携帯電話８０が「住所録メニュー」や「プロフィール」からアドレス情報を指定して２次元コードＢ２を生成する機能を有している場合は、当然上記のアプリケーションをダウンロードする必要はない。
【００４２】
また、「伝票作成モード」では、携帯電話８０を用いる方法以外に、印刷出力された２次元コードＢ２を提示することも可能である。この場合、配送依頼者は、自身のパーソナルコンピュータ等を用いて、２次元コードＢ２を生成し、プリンタで印刷出力しておく必要がある。この場合も、上記の携帯電話８０使用の場合と同様に、２次元コードＢ２生成のための所定のアプリケーションをＷｅｂ等からダウンロードし、そのアプリケーションによって提供される入力書式にしたがって、各項目を入力していくことで、容易に２次元コードＢ２を生成することが可能である。
【００４３】
また、携帯電話８０に代えて、ＰＨＳ（Personal Handy-phone System）や、ＰＤＡ（Personal Digital Assistant）など、携帯可能な情報端末のディスプレイ上に２次元コードＢ２を表示させることも可能である。また、２次元コードＢ２としては、図示したＱＲコード以外にも、Ｍａｘｉコード、Ｖｅｒｉコード、データマトリクス、ＰＤＦ４１７等などを利用可能である。さらに、「キャッシュレジスタモード」でも、バーコードＢ１だけでなく、商品９０やその料金に関する情報を２次元コード化したシンボル画像Ｂを利用可能である。
【００４４】
次に、印刷システム１０の制御構成について、図２の機能ブロック図を参照して説明する。スキャナ６０は、撮像ボタン６３の押下をトリガとして、シンボル画像Ｂ（バーコードＢ１，２次元コードＢ２）を読み取る画像読み取り手段６１０を備えている。画像読み取り手段６１０の読み取り結果である撮像データは、スキャナ用インターフェース６７、ケーブル６５および表示・入力装置用第２インターフェース４８（いずれも図１参照）を介して、表示・入力装置４０に送信される。
【００４５】
表示・入力装置４０は、キー群４３から成る入力手段４１０と、ディスプレイ４２から成る表示手段４２０と、スキャナ６０から取得したデータを処理する読取データ処理手段の一種であって、撮像データをデコードするデコード手段４３０と、宅配伝票Ｐ（Ｐ１，Ｐ２）上におけるアドレス情報（配送先情報および配送元情報）の印刷位置や印刷領域、並びに各項目の罫線、記入欄等の印刷書式に関する情報や、印刷方式（ワイヤドット方式またはサーマル方式）に関する印刷方式情報を配送業者別に記憶する伝票書式情報記憶手段４４０（記憶手段）と、レシートＲの印刷書式に関する情報を記憶するレシート書式情報記憶手段４５０と、を備えている。尚、本実施例では、画像データを取得するスキャナ６０とデコード手段４３０とが分離した形態をとっているが、スキャナとデコーダとを一体化したコード読取装置によって読取データ処理手段を構成しても良い。
【００４６】
さらに、表示・入力装置４０は、「電卓モード」において、電子式卓上計算機として機能させるための演算処理を行う演算処理手段４６０と、「キャッシュレジスタモード」において、支払決済処理および金銭登録処理を行う支払決済処理・金銭登録処理手段４７０と、支払決済処理・金銭登録処理手段４７０の処理結果に関する情報を記憶媒体Ｍに格納する情報格納手段４８０と、支払決済処理・金銭登録処理手段４７０の処理結果やスキャナ６０から取得した撮像データをデコード手段４３０によりデコードしたデコード結果に基づいて印刷データ（伝票印刷データ，レシート印刷データ）を生成する印刷データ生成手段４９０と、印刷データ生成手段４９０により生成した印刷データを印刷装置（印刷手段２１０）に転送する転送手段５００と、上記の各手段４１０〜５００を制御する制御手段５１０（ＣＰＵ等）と、を備えている。
【００４７】
入力手段４１０は、「電卓モード」、「キャッシュレジスタモード」または「伝票作成モード」のうちいずれかの処理モードを設定する手段として機能する他、「伝票作成モード」においては、キー群４３に含まれる所定のキーの押下により、宅配物の配送を依頼する配送業者を指定する手段（図４参照）、並びに印刷データ生成手段４９０により生成された印刷データを印刷装置２０に転送するための指示手段として機能する。
【００４８】
伝票書式情報記憶手段４４０は、図４に示すように、配送業者が取り扱う宅配伝票Ｐの形態（種類）に応じて、配送先情報および配送元情報の印刷位置や印刷領域に関する情報（各情報の印刷開始位置、印刷終了位置、改行位置などの印刷範囲に関する情報）の他、文字サイズや文字種類、文字色（カラー印刷の場合）等の情報を含む伝票書式（伝票フォーマット）と、駆動対象となる印刷部（第１宅配伝票印刷部２１１または第２宅配伝票印刷部２１２）、並びにその印刷方式とを関連づけた「伝票書式テーブル」を記憶している。
【００４９】
したがって、例えば配送業者として、入力手段４１０により「配送業者Ａ」が指定された場合（「伝票作成モード」において数字キー「１」が押下された場合）、制御手段５１０は、「伝票書式テーブル」から、「伝票書式ａ」を読み出す。この「伝票書式ａ」には、「配送業者Ａ」が取り扱う宅配伝票Ｐ（サーマル紙Ｐｂ）において、配送先を印刷する配送先印刷欄９１の印刷位置、並びに配送元を印刷する配送元印刷欄９２の印刷位置等に関する情報が含まれている（図８参照）。なお、印刷部が第２宅配伝票印刷部２１２の場合（印刷方式がサーマル方式の場合）、空白のラベルＬ上に印刷することとなるため、「伝票書式」としては、配送先情報および配送元情報の印刷位置に関する情報以外に、配送先印刷欄９１および配送元印刷欄９２を印刷するための罫線や記入欄の印刷位置、またそれらの線や枠の種類に関する情報（伝票書式データ）も含まれる。したがって、印刷方式がサーマル方式の場合、印刷データ生成手段４９０では、デコード手段４３０によりデコードされた情報と、罫線や記入欄等を印刷するための伝票書式データとを重畳して、伝票印刷データを生成することとなる。
【００５０】
さらに、制御手段５１０は、伝票印刷データを生成する際、「伝票書式テーブル」から印刷部（印刷方式）を指定するためのパラメータを読み出す。すなわち、「配送業者Ａ」が指定された場合、制御手段５１０は、「伝票書式テーブル」から、第２宅配情報印刷部２１２を指定するためのパラメータを読み出す。そして、印刷データ生成手段４９０は、「伝票作成モード」において、「伝票書式ａ」に基づいてデコード手段４３０によるデコード結果（配送先情報および配送元情報のテキストデータ）を展開し、印刷部（印刷方式）を指定するためのパラメータを付加することによって、伝票印刷データを生成する。なお、上記印刷部（印刷方式）の指定は、入力手段４１０により配送業者が指定された時に、印刷装置本体内のどちらの印刷部２１１，２１２を有効とするかを決定する機能を印刷システム１０に備えることにより実現することも可能である。なお、印刷データ生成手段４９０は、「キャッシュレジスタモード」では、支払決済処理・金銭登録処理手段４７０の処理結果に、レシート印刷部２１３を指定するパラメータを付加して印刷データを生成する。
【００５１】
一方、印刷装置２０は、第１宅配伝票印刷部２１１、第２宅配伝票印刷部２１２およびレシート印刷部２１３の３つの印刷部から成る印刷手段２１０を備えている。第１宅配伝票印刷部２１１は、挿入口２２に挿入された複写用紙Ｐａを第１排出口２３に向けて搬送する搬送手段２１１ａと、ワイヤドット方式の印刷ヘッド２１１ｂと、を有している。また、第２宅配伝票印刷部２１２は、巻回された状態のサーマル紙Ｐｂを収容する用紙収容部２１２ａと、サーマル紙Ｐｂを用紙収容部２１２ａから繰り出し第２排出口２４に向けて搬送する搬送手段２１２ｂと、サーマル方式の印刷ヘッド２１２ｃと、印刷済みのサーマル紙Ｐｂを切断する切断手段２１２ｄと、を有している。
【００５２】
さらに、レシート印刷部２１３は、巻回された状態のレシートＲを収容する用紙収容部２１３ａと、レシートＲを用紙収容部２１３ａから繰り出し第３排出口２５に向けて搬送する搬送手段２１３ｂと、サーマル方式の印刷ヘッド２１３ｃと、印刷済みのレシートＲを切断する切断手段２１３ｄと、を有している。そして、印刷データ（伝票印刷データ，レシート印刷データ）に付加された印刷部を特定するためのパラメータに基づいて、第１宅配伝票印刷部２１１、第２宅配伝票印刷部２１２またはレシート印刷部２１３のいずれかを駆動する。なお、印刷方式は、ここに示した方式に限らず、例えばレシート印刷部２１３にインクジェット方式を採用するなど、装置構成やレシートＲおよび宅配伝票Ｐの種類に応じて変更可能である。
【００５３】
次に、「キャッシュレジスタモード」における印刷システム１０の制御方法について、図５のフローチャートを参照して説明する。ここでは、表示・入力装置４０の電源ＯＮ後、数字キー「２」が長押しされ（図３参照）、「キャッシュレジスタモード」に設定された後の処理を示す。同図に示すように、「キャッシュレジスタモード」では、入力手段４１０の数字キーによる料金の入力や、スキャナ６０からの読み取り結果（撮像データ）の受信により会計情報を取得する（Ｓ０１）。「会計情報」とは、商品名およびその料金など、支払決済処理およびレシートＲ（図９参照）の印刷に必要な情報を指すものである。
【００５４】
続いて、取得した会計情報が、スキャナ６０の読み取り結果であるか否かを判別し（Ｓ０２）、その判別結果からスキャナ６０の読み取り結果を取得したと判定した場合は（Ｓ０２：Ｙｅｓ）、デコード処理を行う（Ｓ０３）。なお、取得した会計情報、並びにデコード手段４３０によるデコード結果を、ディスプレイ４２上に表示するようにしても良い。
【００５５】
ここで、会計情報の入力終了を意味する会計キーが押下された場合は（Ｓ０４：Ｙｅｓ）（「キャッシュレジスタモード」において当外機能が割り当てられた数字キーや記号キーの押下でも良い）、取得した会計情報に基づいて支払決済処理を行う（Ｓ０５）。また、会計キーが押下されない場合は（Ｓ０４：Ｎｏ）、引き続き会計情報の取得を待つ（Ｓ０１）。「支払決済処理」とは、取得した会計情報に基づいて合計金額を算出する処理や、取得した会計情報および算出した合計金額をディスプレイ４２上に表示して顧客に料金を提示するなどの処理を指すものである。例えば、図９に示すように、会計情報として、「商品名：りんご（１箱），料金￥５，０００」（またはこれらを示す商品コード）と、「商品名：配送料，料金￥１，０００」（またはこれらを示す商品コード）とを取得した後、会計キーが押下された場合、合計金額￥６，０００と算出し、これをディスプレイ４２上に表示する。なお、シンボル画像が商品名または商品コードのみの情報を含み、料金に関する情報を含まない場合は、表示・入力装置４０内に商品マスタ（商品コードとその料金とを関連づけたテーブル）を格納しておき、当該商品マスタを参照して支払決済処理、および後述の金銭登録処理を行うことが好ましい。
【００５６】
支払決済処理を終えると、次に金銭登録処理を行う（Ｓ０６）。「金銭登録処理」とは、トランザクションＮｏ（図９のＮｏ.△△△△に相当）、支払決済処理を行った日時、取得した会計情報、並びに支払決済処理の処理結果である登録情報を登録（記憶）する処理を指すものである。当該登録情報の記憶は、表示・入力装置４０内のメモリ（図示省略）に対して行う。さらに、金銭登録処理を終えると、メディアスロット４４（図１参照）にセットされた記憶媒体Ｍに、登録情報を格納する（Ｓ０７）。
【００５７】
続いて、支払決済処理の処理結果や、金銭登録処理の処理結果（トランザクションＮｏ、支払決済処理を行った日時等）を、所定のレシート書式に基づいてレイアウトすることにより、図９に示すようなレシートＲを発行するためのレシート印刷データを生成する（Ｓ０８）。また、レシート印刷データを生成すると、これを印刷装置２０に転送する（Ｓ０９）。なお、Ｓ０７とＳ０８は並行して処理しても良いし、順序が逆になっても良い。また、Ｓ０９のレシート印刷データの転送は、これを指示するキーの押下をトリガとして実行するようにしても良い。
【００５８】
このように、「キャッシュレジスタモード」では、印刷装置２０により、支払決済処理の処理結果をレシートＲ上に印刷することができる。すなわち、領収証書等を発行することができることができるため、顧客との正式な販売取引を行うことができる。また、金銭登録処理の処理結果を、表示・入力装置４０に着脱可能な記憶媒体Ｍに格納するため、コンピュータ等で当該記憶媒体Ｍから情報を読み出すことで、売り上げ管理や経理処理に利用することができる。すなわち、ネットワーク接続が困難な状況で本システム１０が利用される場合であっても、記憶媒体Ｍを介して売り上げ管理システムに導入できるため、売り上げ管理や経理処理が杜撰になってしまうことがない。
【００５９】
なお、「キャッシュレジスタモード」では、その日１日の売り上げや月間売り上げの集計レシートＲを発行するための「集計キー」が押下された場合は、金銭登録処理により登録された登録情報に基づいて、集計データを生成し、これを印刷する。なお、この場合の登録情報の読み出しは、記憶媒体Ｍから読み出すようにしても良いし、表示・入力装置４０内の登録情報を記憶したメモリから読み出すようにしても良い。
【００６０】
次に、「伝票作成モード」における印刷システム１０の制御方法について、図６のフローチャートを参照して説明する。ここでは、表示・入力装置４０の電源ＯＮ後、数字キー「３」が長押しされ（図３参照）、「伝票作成モード」に設定された後の処理を示す。図６に示すように、「伝票作成モード」では、まず配送業者が指定される（Ｓ２１）。当該配送業者の指定は、数字キー「１」、「２」または「３」（それぞれ配送業者Ａ、ＢまたはＣに相当，図４参照）のいずれかが押下されることによって行う。この配送業者の指定によって、「伝票書式テーブル」の配送業者Ａ〜Ｃの中からいずれの業者の情報を読み出すかを決定する。
【００６１】
続いて、スキャナの読み取り結果（２次元コードＢ２の読み取り結果）を取得し（Ｓ２２）、これをデコードする（Ｓ２３）。なお、フローチャート上には特に図示しないが、デコード結果はディスプレイ４２上に表示される。そして、そのデコード結果である配送先情報および配送元情報のテキストデータを、所定の伝票書式（指定された配送業者の伝票書式）に基づいてレイアウトし、伝票印刷データを生成する（Ｓ２４）。このとき、伝票印刷データには、配送業者の指定（Ｓ２１）に基づいて、印刷部を指定するためのパラメータを付加する。
【００６２】
なお、デコード結果に、配送先情報または配送元情報を識別するための識別子が含まれる場合は、それらの識別子によって、取得した情報が配送先情報であるか配送元情報であるか、若しくは両方の情報であるかを判定し、それぞれの情報が宅配伝票用紙Ｐ上の適切な位置に印刷されるようにレイアウトする。また、サーマル紙Ｐｂに印刷する場合は、デコードされた情報と、罫線や記入欄等を印刷するための伝票書式データとを重畳（マージ）して、伝票印刷データを生成する。生成した伝票印刷データは、表示・入力装置４０内のメモリ（図示省略）に記憶される。ここで、入力手段４１０を用いて伝票印刷データの転送が指示されると（Ｓ２５）、メモリに記憶した伝票印刷データを印刷装置２０に転送する（Ｓ２６）。
【００６３】
ここで、宅配伝票用紙Ｐへの印刷内容について、図７および図８の印刷結果例を参照して説明する。図７は、配送業者Ｂが取り扱う複写用紙Ｐａへの印刷結果例、図８は、配送業者ＡおよびＣが取り扱うサーマル紙Ｐｂへの印刷結果例を示している。図７に示すように、複写用紙Ｐａは、依頼主控用Ｐａ１、受付店舗（配達局）控用Ｐａ２、宅配物貼付用Ｐａ３の各用紙が積層された、コンビニエンス・ストア等で用いる一般的な宅配伝票の形態を為している。また、図８に示すように、サーマル紙Ｐｂは、依頼主控用Ｌ１、受付店舗控用Ｌ２、宅配物貼付用Ｌ３がそれぞれ異なるラベルＬ上に印刷されるようになっており、一般に「宅配ラベル」と称されるものである。
【００６４】
両図に示すように、印刷書式は配送業者Ａ、Ｂによってそれぞれ指定される形式であるため（図４参照）、各印刷欄の位置は異なっている。したがって、例えば配送業者Ａが指定されている場合、配送元情報は、印刷書式ａに基づいてサーマル紙Ｐｂの右上付近の配送元情報印刷欄９２に印刷され（図８参照）、配送業者Ｂが指定されている場合、配送元情報は、印刷書式ｂに基づいて複写用紙Ｐａの左下付近の配送元情報印刷欄９２に印刷される（図７参照）。
【００６５】
また、本実施形態では、複写用紙Ｐａとして、配送指定日時、宅配物の品名（内容）、配送形態（冷蔵配送等）、宅配物のサイズ（重量，大きさ等）などの宅配物情報を手書き記入する宅配情報印刷欄９３、支払先や宅配料金などの決済内容を手書き記入する決済内容印刷欄９４、伝票番号９５、並びに伝票番号９５をコード化したバーコード９６が、予め印刷されている（プリプリントされている）ものを使用している。一方、サーマル紙Ｐｂは、上記のとおり空白ラベルを使用しているが、複写用紙Ｐａと同様に、各印刷欄や伝票番号等が予め印刷されているものを使用することも可能である。
【００６６】
このように、「伝票作成モード」では、アドレス情報をコード化した２次元コードＢ２を読み取り、これをデコードして宅配伝票用紙Ｐに印刷するため、配送依頼者による手書き入力の手間を省くことができる。また、予め罫線等がプリプリントされていない白紙の印刷媒体を用いる場合（サーマル紙Ｐｂに印刷する場合）は、デコード結果と伝票書式データとを重畳して、伝票印刷データを生成するため、種々の書式に対応可能であり、印刷媒体の汎用性を向上させることができる。
【００６７】
さらに、印刷装置２０は複数の印刷部２１１，２１２，２１３を有しており、表示・入力装置４０から転送された印刷データに応じて、印刷部を選択することができるため、複数の配送業者に対応する宅配伝票を作成することができる。
【００６８】
なお、上記では、表示・入力装置４０から転送された伝票印刷データに含まれるパラメータに応じて、印刷装置２０が駆動対象となる印刷部を選択するものとしたが、印刷データに含まれる所定の文字列や制御データに基づいて、印刷装置２０が印刷部を選択する構成であっても良い。また、表示・入力装置４０に設定されている処理モードを印刷装置２０が検出可能である場合は、検出した処理モードに基づいて、少なくとも宅配伝票印刷部２１１，２１２を駆動するか、レシート印刷部２１３を駆動するかを判別できるようにしても良い。この構成によれば、少なくともレシート印刷データに印刷部を特定するためのパラメータを付加する必要が無くなる。
【００６９】
以上、説明したとおり、本発明によれば、少なくとも表示手段４２０、入力手段４１０およびデコード手段４３０を有する表示・入力装置４０に、印刷装置２０とスキャナ６０とを接続するだけで、宅配伝票用紙Ｐへの印刷サービスや支払決済処理等を行い得る印刷システム１０を実現することができる。したがって、例えば、農産物の現地販売所などネットワーク接続やコンピュータの設置が困難な場所であっても、キャッシュレジスタ処理や伝票印刷サービスを簡易な構成且つ低コストで実現することができる。
【００７０】
また、「キャッシュレジスタモード」では、支払決済処理や金銭登録処理を行うだけでなく、それらの処理結果をレシートＲ上に印刷することができる。すなわち、支払決済処理の処理結果として領収証書等を発行し、金銭登録処理の処理結果として、その日１日の売り上げや月間売り上げの集計レシート等を発行することができるため、簡易な構成ながらも、キャッシュレジスタ（金銭登録機）の代用として十分機能することができる。
【００７１】
なお、上記では、配送先情報および配送元情報の両情報を含む２次元コードＢ２を１回で読み取るものとしたが、配送先情報用と配送元情報用とでそれぞれ個々に生成された２次元コードを２回に分けて読み取るようにしても良い。この場合は、配送先情報または配送元情報の読み取り開始を指示するキーを設け（記号キーなどにそれらの機能を割り当てても良い）、そのキーの押下によって、スキャナ６０より取得した情報をいずれの情報か判別することが可能である。この構成によれば、２次元コードＢ２に、情報を識別するための識別子が含まれていなくとも、ユーザのニーズに応じて、宅配伝票用紙Ｐ上に、配送先情報のみ、配送元情報のみ、または配送先情報および配送元情報の両情報の印刷を行わせることができる。
【００７２】
また、上記では、アドレス情報（配送先情報および配送元情報）をコード化した２次元コードＢ２の読み取りを行うものとしたが、アドレス情報の他、配送指定日時、宅配物の品名、配送形態、宅配物のサイズなどの宅配物情報を含む宅配情報をコード化した２次元コード（シンボル画像）の読み取りを行うようにしても良い。すなわち、予めこれらの宅配に必要な各情報を紙に印刷しておいたり、ラベルに印刷して台紙に貼り付けておいて、該当する２次元コードを読み取るようにすればよい。この構成によれば、配送依頼者は手書き入力の手間をより省くことができる。なお、この構成において、配送先情報、配送元情報、宅配物情報をそれぞれ別個の２次元コードＢ２として読み取る場合（全ての情報を含む２次元コードを１回で読み取る構成でない場合）は、配送先情報読み取り開始キー、配送元情報読み取り開始キーの他、宅配物情報読み取り開始キーを備えることが好ましい。
【００７３】
また、上記では、スキャナ６０で読み取った読み取り結果のデコードを、表示・入力装置４０により実行するものとしたが（図２のデコード手段４３０参照）、スキャナ６０にデコーダを内蔵する構成としても良い。この構成によれば、表示・入力装置４０の制御構成を簡素化することができるといった効果を奏する。
【００７４】
また、上記の実施形態における印刷システム１０の例によらず、システム構成や装置構成、伝票の種類等について、本発明の要旨を逸脱しない範囲で、適宜変更も可能である。
【図面の簡単な説明】
【００７５】
【図１】本発明の一実施形態に係る印刷システムのシステム構成図である。
【図２】印刷システムの機能ブロック図である。
【図３】表示・入力装置の処理モードを説明する図である。
【図４】伝票書式テーブルを示す図である。
【図５】キャッシュレジスタモードにおける処理を示すフローチャートである。
【図６】伝票作成モードにおける処理を示すフローチャートである。
【図７】複写用紙の印刷結果例を示す図である。
【図８】サーマル紙の印刷結果例を示す図である。
【図９】レシートの印刷結果例を示す図である。
【符号の説明】
【００７６】
１０  印刷システム            ２０  印刷装置
４０  表示・入力装置          ４２  ディスプレイ
６０  スキャナ                ６３  撮像ボタン
８０  携帯電話                ８１  表示画面
２１０  印刷手段              ４１０  入力手段
４２０  表示手段              ４３０  デコード手段
４４０  伝票書式情報記憶手段  ４５０  レシート書式情報記憶手段
４６０  演算処理手段          ４７０  支払決済処理・金銭登録処理手段
４８０  情報格納手段          ４９０  印刷データ生成手段
５００  転送手段              ５１０  制御手段
Ｂ  シンボル画像              Ｌ  サーマルラベル
Ｍ  記憶媒体                  Ｐ  宅配伝票
Ｐａ  宅配伝票（複写用紙）    Ｐｂ  宅配伝票（サーマル紙）
Ｒ  レシート
【図１】
2006178815.tif 000003
【図２】
2006178815.tif 000004
【図３】
2006178815.tif 000005
【図４】
2006178815.tif 000006
【図５】
2006178815.tif 000007
【図６】
2006178815.tif 000008
【図７】
2006178815.tif 000009
【図８】
2006178815.tif 000010
【図９】
2006178815.tif 000011